(57)【要約】【課題】撮像装置と通信可能な情報処理装置から、簡易な操作で、複数の撮影条件を用いて撮像装置に繰り返し撮影させ、かつ、過去に撮像装置に設定されていた撮影条件に簡単に戻すための仕組みを提供する。【解決手段】記憶手段に記憶されている複数の設定値セットのうち、撮像装置に設定値セットを設定して撮影する際に用いられる任意の数の設定値セットの選択と撮影指示とを受け付ける受け付け手段（Ｓ４１１）と、受け付けた任意の数の設定値セットのうちの１つの設定値セットと撮影指示とを撮像装置に送信する撮影処理を前記受け付け手段で受け付けた設定値セットの数だけ繰り返して行う撮影処理手段（Ｓ４１２〜Ｓ４１４）と、撮像装置に予め設定されている設定値セットを前記撮影処理前に撮像装置から取得する取得手段（Ｓ４０９）と、前記撮影処理手段による撮影処理がすべて終了した後、前記取得手段により取得した設定値セットを撮像装置に送信する送信手段（Ｓ４３１）とを備える。【選択図】図４
2011055192.tif 000002
【特許請求の範囲】
【請求項１】
通信可能に接続された撮像装置に設定すべき設定値の集合である設定値セットを複数記憶する記憶手段と、
前記記憶手段に記憶されている複数の設定値セットのうち、前記撮像装置に設定値セットを設定して撮影する際に用いられる任意の数の設定値セットの選択と撮影指示とを受け付ける受け付け手段と、
前記受け付け手段で受け付けた前記任意の数の設定値セットのうちの１つの設定値セットと撮影指示とを前記撮像装置に送信する撮影処理を前記受け付け手段で受け付けた設定値セットの数だけ繰り返して行う撮影処理手段と、
前記撮像装置に予め設定されている設定値セットを前記撮影処理前に前記撮像装置から取得する取得手段と、
前記撮影処理手段による前記撮影処理がすべて終了した後、前記取得手段により取得した前記設定値セットを前記撮像装置に送信する送信手段と、を備える
ことを特徴とする情報処理装置。
【請求項２】
前記送信手段が前記取得した前記設定値セットを前記撮像装置に送信する処理に連動して、前記撮影処理手段による撮影処理により前記撮像装置で撮影された画像を該画像を撮影した際の設定値セットを含む設定情報に関連付けて登録する登録手段を備える
ことを特徴とする請求項１に記載の情報処理装置。
【請求項３】
前記登録手段により登録された前記設定情報をあらかじめ指定された連絡先に通知する通知手段と、を備える
ことを特徴とする請求項２に記載の情報処理装置。
【請求項４】
前記設定値セットを調整する調整手段を備える外部の情報処理装置からの要求により前記登録手段により登録された前記設定情報を検索する検索手段と、
該検索手段により検索された設定情報を前記外部の情報処理装置に送信する設定情報送信手段と、
前記外部の情報処理装置により調整された設定情報を該外部の情報処理装置から受信する受信手段と、を備える
ことを特徴とする請求項２又は３に記載の情報処理装置。
【請求項５】
通信可能に接続された撮像装置に設定すべき設定値の集合である設定値セットを複数記憶する記憶手段を備える情報処理装置の制御方法であって、
前記記憶手段に記憶されている複数の設定値セットのうち、前記撮像装置に設定値セットを設定して撮影する際に用いられる任意の数の設定値セットの選択と撮影指示とを受け付ける受け付けステップと、
前記受け付けステップで受け付けた前記任意の数の設定値セットのうちの１つの設定値セットと撮影指示とを前記撮像装置に送信する撮影処理を前記受け付けステップで受け付けた設定値セットの数だけ繰り返して行う撮影処理ステップと、
前記撮像装置に予め設定されている設定値セットを前記撮影処理前に前記撮像装置から取得する取得ステップと、
前記撮影処理ステップでの前記撮影処理がすべて終了した後、前記取得ステップで取得した前記設定値セットを前記撮像装置に送信する送信ステップと、を備える
ことを特徴とする情報処理装置の制御方法。
【請求項６】
通信可能に接続された撮像装置に設定すべき設定値の集合である設定値セットを複数記憶する記憶手段を備える情報処理装置を制御するプログラムであって、
前記記憶手段に記憶されている複数の設定値セットのうち、前記撮像装置に設定値セットを設定して撮影する際に用いられる任意の数の設定値セットの選択と撮影指示とを受け付ける受け付けステップと、
前記受け付けステップで受け付けた前記任意の数の設定値セットのうちの１つの設定値セットと撮影指示とを前記撮像装置に送信する撮影処理を前記受け付けステップで受け付けた設定値セットの数だけ繰り返して行う撮影処理ステップと、
前記撮像装置に予め設定されている設定値セットを前記撮影処理前に前記撮像装置から取得する取得ステップと、
前記撮影処理ステップでの前記撮影処理がすべて終了した後、前記取得ステップで取得した前記設定値セットを前記撮像装置に送信する送信ステップと、をコンピュータに実行させる、
ことを特徴とするプログラム。
【発明の詳細な説明】
【技術分野】
【０００１】
本発明は、本発明は、ネットワーク等を介してデジタルカメラ等の撮像装置の撮影条件の設定を行う情報処理装置、情報処理装置の制御方法及びプログラムに関する。
【背景技術】
【０００２】
近年のデジタルカメラは、外部機器（例えばコンピュータ）と接続して撮影条件を表す設定情報を受信し、撮像を行うことが可能である（特許文献１）。また、ネットワークを介して外部機器であるコンピュータからさまざまな撮影条件をデジタルカメラに設定することが可能になり、更には、デジタルカメラの撮影条件の設定値の集合（設定値セット）の集中的な管理が可能となっている。
【先行技術文献】
【特許文献】
【０００３】
【特許文献１】特開平１１−９８４０４号公報
【発明の概要】
【発明が解決しようとする課題】
【０００４】
しかし、多様な機能が付加されたデジタルカメラにおいては、撮影状況に応じて最適な撮影条件を決定する際に困難が生じる場合がある。
【０００５】
即ち、最適な設定値セットを見つけるために、コンピュータから多数の撮影条件をデジタルカメラに順に設定し、デジタルカメラで撮影した画像をコンピュータへ送信し、コンピュータ上で画像を表示して確認する作業を繰り返して行わなければならない。
【０００６】
また、デジタルカメラで過去に用いられた撮影条件を再利用したい場合であっても、当該撮影条件をコンピュータ内に保存しておき、コンピュータから読み出して再度デジタルカメラに設定するという、煩雑な作業手順を行わなければならない。そして、複数の撮影条件を用いて、繰り返し撮影したい場合には、この繰り返しを何度も行わなければならず、作業負担がとても大きいという問題がある。
【０００７】
そこで、本発明は、撮像装置と通信可能な情報処理装置から、簡易な操作で、複数の撮影条件を用いて撮像装置に繰り返し撮影させ、かつ、過去に撮像装置に設定されていた撮影条件に簡単に戻すための仕組みを提供することを目的とする。
【課題を解決するための手段】
【０００８】
上記目的を達成するために、本発明の情報処理装置は、通信可能に接続された撮像装置に設定すべき設定値の集合である設定値セットを複数記憶する記憶手段と、前記記憶手段に記憶されている複数の設定値セットのうち、前記撮像装置に設定値セットを設定して撮影する際に用いられる任意の数の設定値セットの選択と撮影指示とを受け付ける受け付け手段と、前記受け付け手段で受け付けた前記任意の数の設定値セットのうちの１つの設定値セットと撮影指示とを前記撮像装置に送信する撮影処理を前記受け付け手段で受け付けた設定値セットの数だけ繰り返して行う撮影処理手段と、前記撮像装置に予め設定されている設定値セットを前記撮影処理前に前記撮像装置から取得する取得手段と、前記撮影処理手段による前記撮影処理がすべて終了した後、前記取得手段により取得した前記設定値セットを前記撮像装置に送信する送信手段と、を備えることを特徴とする。
【発明の効果】
【０００９】
本発明によれば、撮像装置と通信可能な情報処理装置から、簡易な操作で、複数の設定値セットを用いて撮像装置に繰り返し撮影させ、かつ、予め撮像装置に設定されていた設定値セットに簡単に戻すことができる。
【図面の簡単な説明】
【００１０】
【図１】本発明の情報処理装置を備える撮影システムの概略構成を示すブロック図である。
【図２】デジタルカメラの構成例を示すブロック図である。
【図３】撮影者側情報機器、撮影者側管理サーバ、調整者側情報機器、調整者側管理サーバを実現するコンピュータ装置の構成例を示すブロック図である。
【図４】デジタルカメラ、撮影者側情報機器及び撮影者側管理サーバを使用して撮影を行う際の一連の動作例を説明するためのフローチャート図である。
【図５】撮影者側管理サーバの記憶装置に登録される設定情報テーブルの構造例を示す図である。
【図６】（ａ）は撮影依頼時に撮影者側管理サーバが受け取る撮影依頼情報の構造例を示す図、（ｂ）は撮影依頼情報と同時に撮影者側管理サーバが受け取る設定値セットの情報の構造例を示す図である。
【図７】設定値セットを選択するために撮影者側情報機器の表示部に表示される操作画面例を示す図である。
【図８】図４のステップＳ４１４の処理例について説明するためのフローチャート図である。
【図９】図４のステップＳ４２２の処理例について説明するためのフローチャート図である。
【図１０】図４のステップＳ４３１の処理例について説明するためのフローチャート図である。
【図１１】調整者側情報機器が調整者側管理サーバを経由して撮影者側管理サーバから設定情報を取得し、この設定情報を基に設定値セットを調整者側管理サーバへ登録する処理を説明するためのフローチャート図である。
【発明を実施するための形態】
【００１１】
以下、本発明の実施形態の一例を図面を参照して説明する。
【００１２】
図１は、本発明の情報処理装置を備える撮影システムの概略構成を示すブロック図である。
【００１３】
図１に示すように、撮影システムは、撮影者側管理サーバ１０３に本発明の撮像装置の一例に相当するデジタルカメラ１０１がＵＳＢインターフェイス等を介して双方向に通信可能に接続されている。なお、撮影者側管理サーバ１０３とデジタルカメラ１０１との接続は、ＵＳＢに限定するものではなく、例えばネットワークでの接続、例えば専用の通信バスによる接続などであってもよい。
【００１４】
また、撮影者側管理サーバ１０３は、ネットワークを介して撮影者側情報機器１０２、調整者側情報機器１０４及び調整者側管理サーバ１０５に対して互いに通信可能に接続されている。なお、撮影者側情報機器１０２と撮影者側管理サーバ１０３とは、本実施形態では、ローカルな有線ＬＡＮ（ローカルエリアネットワーク）で接続されているが、インターネット経由や無線ＬＡＮなどで接続されていてもよい。
【００１５】
ここで、本実施形態では、撮影者側情報機器１０２及び撮影者側管理サーバ１０３を実現する２つのコンピュータ装置３００（図３参照）により本発明の情報処理装置の一例を構成しているが、これに限定されない。例えば、１又は３以上のコンピュータ装置３００で本発明の情報処理装置を構成してもよい。
【００１６】
図２は、デジタルカメラ１０１の構成例を示すブロック図である。
【００１７】
図２において、ＣＰＵ２０１は、デジタルカメラ１０１全体の動作を制御する。撮像・記録系回路２０７は、被写体を撮影することにより画像信号を取得し、それを画像データに変換して記録する。通信ポート２０２は、撮影者側管理サーバ１０３に接続するためポートである。メモリ２０３は、画像情報やその他のデータを記憶する。入力装置２０５は、ユーザ操作による文字に入力や各種指令を受け付ける。表示部２０６は、ＬＣＤ等により構成され、画像や設定情報等を表示する。記憶装置（例えばハードディスク）２０４は、撮影者によって設定された設定情報を記憶する。なお、記憶装置２０４は、メモリ２０３やその他の記憶媒体の一部の領域を利用してもよい。
【００１８】
ここで、設定情報は、デジタルカメラ１０１での撮影条件を表す。設定情報は、撮影条件のうち、撮影者によって設定可能な機能を示す設定機能名とその設定値とから構成され、撮影者によって設定された値が設定値として設定機能名に対応して記憶装置２０４に記憶される。
【００１９】
撮影者によって設定されていない設定機能の設定値は、デジタルカメラ１０１に初期設定されている値が用いられる。設定機能名としては、例えばホワイトバランスや絞り、ＩＳＯ感度があり、それぞれ設定値として「曇り」、「Ｆ１．０」、「１２５０」等が対応付けて記憶装置２０４に記憶されている。
【００２０】
図３は、撮影者側情報機器１０２、撮影者側管理サーバ１０３、調整者側情報機器１０４、調整者側管理サーバ１０５を実現するコンピュータ装置３００の構成例を示すブロック図である。
【００２１】
図３において、ＣＰＵ３０５は、コンピュータ装置３００全体の動作を制御する。ネットワークＩ／Ｆ３０３は、インターネットなどのネットワークを介して外部機器に接続するためのインターフェイスである。メモリ３０１は、デジタルカメラ１０１の機器情報、その他のデータを記憶する。表示部３０２は、ＬＣＤ等で構成され、コンピュータ装置３００の動作状況等を表示する。操作入力Ｉ／Ｆ３０６は、不図示のキーボードやポインティングデバイス等の入力装置を接続するためのインターフェイスである。
【００２２】
記憶装置３０４は、設定情報などの各種情報を記憶する。記憶装置３０４は、読み書き可能な記憶媒体が用いられ、例えば、揮発性メモリ、不揮発性メモリ、着脱可能なメモリカード等が例示できる。なお、記憶装置３０４およびメモリ３０１は、独立した１つの記憶媒体ではなく、その他の記憶媒体の一部の領域を利用してもよい。
【００２３】
撮影者側管理サーバ１０３は、ネットワークＩ／Ｆ３０３を介して撮影者側情報機器１０２や調整者側管理サーバ１０５に接続され、通信ポート３０７を介してデジタルカメラ１０１に接続される。
【００２４】
また、撮影者側管理サーバ１０３の記憶装置３０４には、カメラ機種と設定情報とを関連付けたデータベースが記憶される。また、調整者側管理サーバ１０５の記憶装置３０４には、カメラ機種と設定情報とを関連付けたデータベースが記憶される。
【００２５】
図４は、デジタルカメラ１０１、撮影者側情報機器１０２及び撮影者側管理サーバ１０３を使用して撮影を行う際の一連の動作例を説明するためのフローチャート図である。図４の一連の処理により、撮影時に撮影者側管理サーバ１０３が撮影前にデジタルカメラ１０１に設定されていた設定値セットを退避させ、撮影後に退避させておいた設定値セットをデジタルカメラ１０１に送信する。これにより、デジタルカメラ１０１の設定値セットを撮影前の状態に戻すことができる。
【００２６】
図４におけるデジタルカメラ１０１の各処理は、デジタルカメラ１０１のＲＯＭ等に記憶された制御プログラムがＲＡＭにロードされて、ＣＰＵ２０１により実行される。また、撮影者側情報機器１０２及び撮影者側管理サーバ１０３の各処理は、それぞれのコンピュータ装置３００のＲＯＭや記憶装置３０４に記憶された制御プログラムがＲＡＭにロードされて、ＣＰＵ３０５により実行される。
【００２７】
ステップＳ４０１では、デジタルカメラ１０１のＣＰＵ２０１は、入力装置２０５での撮影者の操作に応答してデジタルカメラ１０１を起動する。
【００２８】
ステップＳ４０２では、撮影者側情報機器１０２のＣＰＵ３０５は、撮影者の操作に応答して撮影者側管理サーバ１０３にデジタルカメラ１０１との接続要求を発行する。
【００２９】
ステップＳ４０３では、撮影者側管理サーバ１０３のＣＰＵ３０５は、ステップＳ４０２で撮影者側情報機器１０２から発行された接続要求を受信すると、デジタルカメラ１０１に対して接続要求を送信する。
【００３０】
ステップＳ４０４では、デジタルカメラ１０１のＣＰＵ２０１は、ステップＳ４０３で撮影者側管理サーバ１０３から送信された接続要求を受信すると、撮影者側管理サーバ１０３との接続情報を記憶装置２０４に保存する。これにより、デジタルカメラ１０１と撮影者側管理サーバ１０３との接続状態が確立される。
【００３１】
ステップＳ４０５では、撮影者側情報機器１０２のＣＰＵ３０５は、撮影者の操作に応答して、調整撮影開始指示を撮影者側管理サーバ１０３に発行する。
【００３２】
ステップＳ４０６では、撮影者側管理サーバ１０３のＣＰＵ３０５は、ステップＳ４０５で発行された調整撮影開始指示を受信すると、デジタルカメラ１０１に対し、予めデジタルカメラ１０１に設定されている設定値セットの取得要求を送信する。
【００３３】
ステップＳ４０７では、デジタルカメラ１０１のＣＰＵ２０１は、設定値セットの取得要求を受信すると、ステップＳ４０８に進む。
【００３４】
ステップＳ４０８では、デジタルカメラ１０１のＣＰＵ２０１は、記憶装置２０４に予め設定された設定値セットを撮影者側管理サーバ１０３へ送信する。
【００３５】
ステップＳ４０９では、撮影者側管理サーバ１０３のＣＰＵ３０５は、デジタルカメラ１０１から設定値セットを受信すると、受信した設定値セットを設定情報として撮影者側管理サーバ１０３の記憶装置３０４に記憶させることにより退避させる。
【００３６】
図５は、撮影者側管理サーバ１０３の記憶装置３０４に登録される設定情報テーブルの構造例を示す図である。
【００３７】
図５において、調整撮影登録番号は、設定情報をシステム内で一意に識別するために、システム内部で順次割り振っている登録番号である。調整撮影登録名は、撮影時に撮影者が任意に設定した設定情報の名称である。カメラ名は、撮影を行ったデジタルカメラ１０１を、システム内で識別するために撮影者が任意に設定したデジタルカメラ１０１の名称である。カメラ機種は、撮影を行ったデジタルカメラ１０１の機種をシステム内で識別するため、予めシステムで割り当てられたカメラ機種名である。
【００３８】
画像サイズは、撮影時にデジタルカメラ１０１で撮影された画像の大きさを、デジタルカメラ１０１で識別できる表記で表したものである。画像枚数は、撮影時に撮影された画像の枚数である。登録日時は、設定情報登録指示により、設定情報がデータベースに登録された時の日時である。登録可否は、設定情報登録処理の成否を表している。
【００３９】
また、撮影された画像データを保持する画像ファイルは、設定情報と関連付けるため、調整撮影登録番号を保持している。画像名は、システム内で画像を識別するために一意に割り振った画像ファイル名である。画像サイズは、撮影者側管理サーバ１０３で一時ファイルに保存された画像ファイルを、バイナリ形式で読み込んだ際のバイト数である。画像データは、撮影者側管理サーバ１０３で一時ファイルに保存された画像ファイルをバイナリ形式で読み込んだ際の実データである。
【００４０】
図６（ａ）は、撮影依頼時に撮影者側管理サーバ１０３が撮影者側情報機器１０２から受け取る撮影依頼情報の構造例を示す図である。
【００４１】
図６（ａ）において、依頼番号は、撮影依頼情報をシステム内で一意に識別するために、システム内部で順次割り振っている番号であり、設定情報の調整撮影登録番号に一致する。カメラ機種は、撮影を行ったデジタルカメラ１０１の機種をシステム内で識別するため、予めシステムで割り当てられたカメラ機種名であり、設定情報のカメラ機種に一致する。画像サイズは、撮影時にデジタルカメラ１０１で撮影された画像の大きさを、デジタルカメラ１０１で識別できる表記で表したものであり、設定情報の画像サイズに一致する。
【００４２】
撮影枚数は、撮影時に撮影された画像の枚数であり、設定情報の画像枚数に一致する。依頼名は、撮影時に撮影者が任意に設定した撮影依頼情報の名称であり、設定情報の撮影登録名に一致する。カメラ名は、撮影を行ったデジタルカメラ１０１を、システム内で識別するために撮影者が任意に設定したデジタルカメラ１０１の名称であり、設定情報のカメラ名に一致する。依頼結果は、撮影依頼処理の成否を表しており、設定情報の登録可否に一致する。
【００４３】
依頼時間は、撮影依頼指示により、設定情報がデータベースに登録された時の日時であり、設定情報の登録日時に一致する。連絡先メールアドレス（可変）は、設定情報登録指示に連動して、依頼情報が通知されるメールアドレスの一覧である。なお、連絡先メールアドレスは、可変長のデータであるため、連絡先が指定されなければ空の値が格納される場合もある。
【００４４】
また、撮影者側管理サーバ１０３は、撮影依頼情報と同時に撮影で使用する設定値セットの情報を撮影者側情報機器１０２から受け取る。この設定値セット情報は、撮影者側情報機器１０２の記憶装置３０４に複数記憶されている。
【００４５】
図６（ｂ）は、複数の設定値の集合である設定値セット情報の構造例を示す図である。
【００４６】
図６（ｂ）において、カメラ機種は、この設定値セットを使用可能なカメラ機種をシステム内で識別するため、予めシステムで割り当てられたカメラ機種名である。設定値登録者名は、この設定値セットをシステムに登録したユーザを識別するためのユーザ名を表している。
【００４７】
設定値セット名は、設定値セット登録者が登録時に任意に指定した値で、この設定値セットをユーザが識別するための設定値セットの名称を表している。設定値セット番号は、この設定値セットを一意に識別するため、設定値セットの登録時にシステムで順次割り振っている番号であり、設定値セット番号により撮影時に使用する設定値セットを一意に特定することができる。
【００４８】
図４に戻って、ステップＳ４１０では、撮影者側情報機器１０２のＣＰＵ３０５は、ステップＳ４０５での調整撮影開始指示を基に、自動であるか手動であるかを判断し、自動の場合は、ステップＳ４１１に進み、手動の場合は、ステップＳ４２１に進む。
【００４９】
ステップＳ４１１では、撮影者側情報機器１０２のＣＰＵ３０５は、撮影者による入力装置等の操作により、撮影を行う設定値セットが選択されると、ステップＳ４１２に進む。
【００５０】
図７は、設定値セットを選択するために撮影者側情報機器１０２の表示部３０２に表示される操作画面例を示す図である。
【００５１】
この操作画面は、設定値セット名７０１、設定値セットの利用可能範囲を示す区分７０２、選択状態を示すチェックボックス７０３、撮影依頼ボタン７０４、キャンセルボタン７０５から構成されている。撮影者は、撮影者側情報機器１０２の入力装置を操作して、撮影を行いたい任意の数の設定値セットのチェックボックス７０３にチェックを付与し、撮影依頼ボタン７０４を押下する。これに応答して、撮影者側情報機器１０２のＣＰＵ３０５は、撮影依頼を発行する。なお、設定値セットのチェックボックス７０３は、複数選択が可能である。
【００５２】
ステップＳ４１２では、撮影者側情報機器１０２のＣＰＵ３０５は、ステップＳ４１１で選択されたすべての設定値セットを、撮影者側情報機器１０２内の記憶装置３０４に保持し、ステップＳ４１３に進む。
【００５３】
ステップＳ４１３では、撮影者側情報機器１０２のＣＰＵ３０５は、すべての設定値セットを読み込んだか否かを判断する。そして、撮影者側情報機器１０２のＣＰＵ３０５は、読み込まれていない設定値セットがある場合は、ステップＳ４１４に進み、読み込まれていない設定値セットがない場合は、ステップＳ４３０に進む。
【００５４】
ステップＳ４１４では、撮影者側情報機器１０２のＣＰＵ３０５は、設定値セットを読み込み、撮影処理を行う。なお、ここでの撮影処理（自動）については、撮影者側管理サーバ１０３及びデジタルカメラ１０１の撮影処理と併せて図８で詳述する。
【００５５】
一方、ステップＳ４２１では、撮影者側情報機器１０２のＣＰＵ３０５は、撮影者によりデジタルカメラ１０１に設定する設定値セットの設定が手動で行われて撮影指示が出されると、ステップＳ４２２に進む。
【００５６】
ステップＳ４２２では、撮影者側情報機器１０２のＣＰＵ３０５は、ステップＳ４２１で撮影者により手動で設定された設定値セットと撮影指示により、撮影処理を行い、ステップＳ４２３に進む。なお、ここでの撮影処理（手動）については、撮影者側管理サーバ１０３及びデジタルカメラ１０１の撮影処理と併せて図９で詳述する。
【００５７】
ステップＳ４２３では、撮影者側情報機器１０２のＣＰＵ３０５は、撮影者により設定情報登録指示が入力されると、ステップＳ４２４に進む。
【００５８】
ステップＳ４２４では、撮影者側情報機器１０２のＣＰＵ３０５は、ステップＳ４２３で入力された指示を基に、撮影を続けるかどうかを判定し、撮影を続ける場合はステップＳ４２１に戻り、撮影を終了する場合、ステップＳ４２５に進む。
【００５９】
ステップＳ４２５では、撮影者側情報機器１０２のＣＰＵ３０５は、撮影者の操作に応答して設定値セットの登録依頼を出す画像を選択し、ステップＳ４３０に進む。
【００６０】
ステップＳ４３０では、撮影者側情報機器１０２のＣＰＵ３０５は、設定情報登録依頼を撮影者側管理サーバ１０３に発行し、処理を終了する。
【００６１】
ここで、ステップＳ４３０では、自動の場合は、撮影者側情報機器１０２のＣＰＵ３０５は、ステップＳ４１３の判定により撮影したすべての設定値セットを基に設定情報登録依頼を撮影者側管理サーバ１０３に発行する。また、手動の場合は、撮影者側情報機器１０２のＣＰＵ３０５は、ステップＳ４２５で選択された設定値セットを基に撮影者側管理サーバ１０３に設定情報登録依頼を発行する。
【００６２】
ステップＳ４３１では、撮影者側管理サーバ１０３のＣＰＵ３０５は、設定情報登録依頼を受信すると、設定情報の登録処理を行う。また、撮影者側管理サーバ１０３のＣＰＵ３０５は、記憶装置３０４に退避させていた設定値セットをデジタルカメラ１０１へ送信する。なお、ここでの設定情報の登録処理については、図１０で詳述する。
【００６３】
ステップＳ４３２では、デジタルカメラ１０１のＣＰＵ２０１は、撮影者側管理サーバ１０３から受信した設定値セットを記憶装置２０４に設定し、処理を終了する。これにより、デジタルカメラ１０１は、撮影処理前の設定値の状態に復帰することができる。
【００６４】
次に、図８を参照して、図４のステップＳ４１４の処理例について説明する。ステップＳ４１４では、自動で設定値セットを撮影者側管理サーバ１０３がデジタルカメラ１０１に送信し、撮影指示を行う。これにより、カメラの設定値をデジタルカメラ１０１に送信する指示と、カメラのレリーズ指示と、を撮影者が外部入力することなく自動で送信することができる。
【００６５】
ステップＳ８０１では、撮影者側情報機器１０２のＣＰＵ３０５は、図４のステップＳ４１３の判定によって新たに設定値セットが読み込まれると、撮影者側管理サーバ１０３に対し図６で示した依頼情報とともに撮影依頼指示を送信し、処理を終了する。
【００６６】
ステップＳ８０２では、撮影者側管理サーバ１０３のＣＰＵ３０５は、撮影者側情報機器１０２から撮影依頼指示を受信すると、ステップＳ８０３に進む。
【００６７】
ステップＳ８０３では、撮影者側管理サーバ１０３のＣＰＵ３０５は、受信した依頼情報の設定情報を基に使用する設定値セットを一意に識別し、識別した設定値セットをデジタルカメラ１０１へ送信する。
【００６８】
ステップＳ８０４では、デジタルカメラ１０１のＣＰＵ２０１は、撮影者側管理サーバ１０３から受信した設定値セットの内容を記憶装置２０４に設定する。
【００６９】
ステップＳ８０５では、撮影者側管理サーバ１０３のＣＰＵ３０５は、デジタルカメラ１０１に対しレリーズ指示を送信する。
【００７０】
ステップＳ８０６では、デジタルカメラ１０１のＣＰＵ２０１は、撮影者側管理サーバ１０３からレリーズ指示を受信すると、レリーズを行い、被写体を撮影して、ステップＳ８０７に進む。
【００７１】
ステップＳ８０７では、デジタルカメラ１０１のＣＰＵ２０１は、撮影した画像を撮影者側管理サーバ１０３へ送信し、処理を終了する。
【００７２】
ステップＳ８０８では、撮影者側管理サーバ１０３のＣＰＵ３０５は、デジタルカメラ１０１から受信した画像を記憶装置３０４の一時ファイルに保存し、処理を終了する。
【００７３】
次に、図９を参照して、図４のステップＳ４２２の処理例について説明する。ステップＳ４２２では、手動で設定値セットを撮影者側管理サーバ１０３がデジタルカメラ１０１に送信し、撮影指示を行う。これにより、カメラの設定値をデジタルカメラ１０１に送信する指示と、カメラのレリーズ指示と、を撮影者が外部入力することなく自動で送信することができる。また、撮影後の画像を撮影者側情報機器１０２の表示部３０２に出力することにより、撮影者が手動で設定値を調整することができる。
【００７４】
ステップＳ９０１では、撮影者側情報機器１０２のＣＰＵ３０５は、図４のステップＳ４２１で撮影者によって手動で新たに設定値セットが設定されると、撮影者側管理サーバ１０３に対し図６で示した依頼情報とともに撮影依頼を送信する。
【００７５】
ステップＳ９０２では、撮影者側管理サーバ１０３のＣＰＵ３０５は、撮影者側情報機器１０２から依頼情報とともに撮影依頼を受信すると、ステップＳ９０３に進む。
【００７６】
ステップＳ９０３では、撮影者側管理サーバ１０３のＣＰＵ３０５は、ステップＳ９０２で受信した依頼情報の設定値セット情報を基に使用する設定値セットを一意に識別し、識別した設定値セットをデジタルカメラ１０１へ送信する。
【００７７】
ステップＳ９０４では、デジタルカメラ１０１のＣＰＵ２０１は、撮影者側管理サーバ１０３から受信した設定値セットの内容を記憶装置２０４に設定する。
【００７８】
ステップＳ９０５では、撮影者側管理サーバ１０３のＣＰＵ３０５は、デジタルカメラ１０１に対しレリーズ指示を送信する。
【００７９】
ステップＳ９０６では、デジタルカメラ１０１のＣＰＵ２０１は、撮影者側管理サーバ１０３からレリーズ指示を受信すると、レリーズを行い、被写体を撮影して、ステップＳ９０７に進む。
【００８０】
ステップＳ９０７では、デジタルカメラ１０１のＣＰＵ２０１は、撮影した画像を撮影者側管理サーバ１０３へ送信し、処理を終了する。
【００８１】
ステップＳ９０８では、撮影者側管理サーバ１０３のＣＰＵ３０５は、デジタルカメラ１０１から受信した撮影画像を記憶装置３０４の一時ファイルに保存し、ステップＳ９０９に進む。
【００８２】
ステップＳ９０９では、撮影者側管理サーバ１０３のＣＰＵ３０５は、記憶装置３０４の一時ファイルに保存した撮影画像データを撮影者側情報機器１０２へ送信し、処理を終了する。
【００８３】
ステップＳ９１０では、撮影者側情報機器１０２のＣＰＵ３０５は、撮影者側管理サーバ１０３から撮影画像データを受信すると、ステップＳ９１１に進む。
【００８４】
ステップＳ９１１では、撮影者側情報機器１０２のＣＰＵ３０５は、ステップＳ９１０で受信した撮影画像データを表示部３０２に出力して表示し、処理を終了する。
【００８５】
次に、図１０を参照して、図４のステップＳ４３１での処理について説明する。ステップＳ４３１では、撮影者側管理サーバ１０３は、撮影者側情報機器１０２から設定情報登録依頼を受信すると、設定情報の登録処理を行い、また、設定情報の登録に連動して、記憶装置３０４に退避させていた設定値セットをデジタルカメラ１０１へ送信する。これにより、撮影者側管理サーバ１０３は、調整者側管理サーバ１０５から設定情報の問い合わせを受け付けた際に設定情報を検索することができる。また、調整者側情報機器１０４は、検索された設定情報を基に設定値セットを読み込み調整者側管理サーバ１０５に登録することができる。
【００８６】
ステップＳ１００１では、撮影者側管理サーバ１０３のＣＰＵ３０５は、図４のステップＳ４３０の設定情報登録依頼を受け付けると、記憶装置３０４に退避していた撮影前のデジタルカメラ１０１の設定値セット情報を読み出し、デジタルカメラ１０１へ送信する。
【００８７】
ステップＳ４３２では、上述したように、デジタルカメラ１０１のＣＰＵ２０１は、受信した設定値セットを記憶装置２０４に保存し、これにより、撮影処理前の設定値の状態に復帰することができる。
【００８８】
ステップＳ１００２では、撮影者側管理サーバ１０３のＣＰＵ３０５は、一時ファイルとして保存されている画像ファイルをすべて読み込み、ステップＳ１００３に進む。
【００８９】
ステップＳ１００３では、撮影者側管理サーバ１０３のＣＰＵ３０５は、ステップＳ１００２で読み込んだ画像ファイルがすでに記憶装置３０４のデータベースへ登録済みかどうかを判定する。そして、撮影者側管理サーバ１０３のＣＰＵ３０５は、未登録の画像ファイルが有る場合は、ステップＳ１００４に進み、未登録の画像ファイルが無い場合は、ステップＳ１００５に進む。
【００９０】
ステップＳ１００４では、撮影者側管理サーバ１０３のＣＰＵ３０５は、画像ファイルを図５に示した設定情報テーブルの構造例で記憶装置３０４のデータベースへ登録し、ステップＳ１００３に戻る。
【００９１】
ステップＳ１００５では、撮影者側管理サーバ１０３のＣＰＵ３０５は、ステップＳ１００４で記憶装置３０４のデータベースへ登録された設定情報の通知先として連絡先メールアドレスが指定されているかどうかを判定する。そして、撮影者側管理サーバ１０３のＣＰＵ３０５は、連絡先メールアドレスがある場合は、連絡先メールアドレスを一件ずつ読み込み、未通知かどうかを判定する。そして、撮影者側管理サーバ１０３のＣＰＵ３０５は、未通知の連絡先メールアドレスが有る場合は、ステップＳ１００７に進み、未通知の連絡先メールアドレスが無くなるまで、連絡先メールアドレスへ設定情報を通知し、処理を終了する。
【００９２】
次に、図１１を参照して、調整者側情報機器１０４が調整者側管理サーバ１０５を経由して撮影者側管理サーバ１０３から設定情報を取得し、この設定情報を基に設定値セットを調整者側管理サーバ１０５へ登録する処理を説明する。図１１での一連の処理により、調整者側情報機器１０４は、撮影時に調整者側管理サーバ１０５の設定値セットを読み込み使用することができる。なお、図１１での撮影者側管理サーバ１０３、調整者側情報機器１０４及び調整者側管理サーバ１０５の各処理は、それぞれのコンピュータ装置３００のＲＯＭや記憶装置３０４に記憶された制御プログラムがＲＡＭにロードされて、ＣＰＵ３０５により実行される。
【００９３】
ステップＳ１１０１では、調整者側情報機器１０４のＣＰＵ３０５は、設定情報の確認者の操作により設定情報の確認が指示されると、設定情報の確認指示を調整者側管理サーバ１０５に送信する。
【００９４】
ステップＳ１１５１では、調整者側管理サーバ１０５のＣＰＵ３０５は、設定情報の確認指示を受信すると、撮影者側管理サーバ１０３に対し設定情報の取得要求を発行する。
【００９５】
ステップＳ１１３１では、撮影者側管理サーバ１０３のＣＰＵ３０５は、調整者側管理サーバ１０５から設定情報の取得要求を受信すると、記憶装置３０４のデータベースから設定情報を検索し、ステップＳ１１３２に進む。
【００９６】
ステップＳ１１３２では、撮影者側管理サーバ１０３のＣＰＵ３０５は、ステップＳ１１３１で検索した設定情報を調整者側管理サーバ１０５へ送信する設定情報送信処理を実行し、処理を終了する。
【００９７】
ステップＳ１１５２では、調整者側管理サーバ１０５のＣＰＵ３０５は、撮影者側管理サーバ１０３から受信した設定情報を調整者側情報機器１０４へ送信する。
【００９８】
ステップＳ１１０２では、調整者側情報機器１０４のＣＰＵ３０５は、調整者側管理サーバ１０５から受信した設定情報を表示部３０２の操作画面へ出力する。
【００９９】
ステップＳ１１０３では、調整者側情報機器１０４のＣＰＵ３０５は、操作画面上で設定情報の確認者により設定情報の中から調整を行いたい情報が選択されると、ステップＳ１１０４に進む。
【０１００】
ステップＳ１１０４では、調整者側情報機器１０４のＣＰＵ３０５は、ステップＳ１１０３で選択された画像と画像に付与された設定情報を読み込んで表示部３０２の操作画面に出力し、ステップＳ１１０５に進む。
【０１０１】
ステップＳ１１０５では、調整者側情報機器１０４のＣＰＵ３０５は、調整情報の確認者により表示部３０２の操作画面上で設定情報の調整指示が行われたかどうかを判断する。そして、調整者側情報機器１０４のＣＰＵ３０５は、調整指示が行われた場合は、ステップＳ１１０６に進み、調整指示が行われない場合は、ステップＳ１１０８に進む。
【０１０２】
ステップＳ１１０６では、調整者側情報機器１０４のＣＰＵ３０５は、確認者の行った調整指示の内容を設定値に設定し、ステップＳ１１０７に進む。
【０１０３】
ステップＳ１１０７では、調整者側情報機器１０４のＣＰＵ３０５は、ステップＳ１１０６で設定された設定値を画像データへ反映し、ステップＳ１１０４に戻る。
【０１０４】
ステップＳ１１０８では、調整者側情報機器１０４のＣＰＵ３０５は、調整情報の確認者により設定値セットの登録指示が行われたか否かを判断し、登録指示が行われた場合は、ステップＳ１１０９に進み、登録指示が行われない場合は、処理を終了する。
【０１０５】
ステップＳ１１０９では、調整者側情報機器１０４のＣＰＵ３０５は、調整者側管理サーバ１０５に対して設定値セットの登録指示を送信し、処理を終了する。
【０１０６】
ステップＳ１１５３では、調整者側管理サーバ１０５のＣＰＵ３０５は、登録指示を受信すると、設定値セットを記憶装置３０４のデータベースに登録し、処理を終了する。
【０１０７】
以上説明したように、本実施形態では、撮影前にデジタルカメラ１０１に設定されていた設定値セットの退避と復帰を、各設定値セットの設定とレリーズの前後ではなく、各設定値セット群の一連の設定とレリーズ処理の最初と最後で行っている。これにより、デジタルカメラ１０１と通信可能な情報機器から、簡易な操作で、複数の設定値セットを用いてデジタルカメラ１０１に繰り返し撮影させることができる。また、撮影のスループットを落とすことなく、撮影処理前に予めデジタルカメラ１０１に設定されていた設定値セットに戻すことができる。
【０１０８】
なお、本発明は、上記実施形態に例示したものに限定されるものではなく、本発明の要旨を逸脱しない範囲において適宜変更可能である。
【０１０９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。ネットワーク又は各種記憶媒体を介して取得したソフトウェア（プログラム）をパーソナルコンピュータ（ＣＰＵ，プロセッサ）にて実行することでも実現できる。
【符号の説明】
【０１１０】
１０１  デジタルカメラ
１０２  撮影者側情報機器
１０３  撮影者側管理サーバ
１０４  調整者側情報機器
１０５  調整者側サーバ
１０６  ネットワーク
【図１】
2011055192.tif 000003
【図２】
2011055192.tif 000004
【図３】
2011055192.tif 000005
【図４】
2011055192.tif 000006
【図５】
2011055192.tif 000007
【図６】
2011055192.tif 000008
【図７】
2011055192.tif 000009
【図８】
2011055192.tif 000010
【図９】
2011055192.tif 000011
【図１０】
2011055192.tif 000012
【図１１】
2011055192.tif 000013